(57)【要約】      （修正有）【課題】グリップの利用者が接触する面を適宜温度調整することができるグリップ用温度調整・空調装置を提供する。【解決手段】少なくとも１つの空調パラメータを制御するための装置に関する。この装置は、グリップのために特定されたゾーンを制御するために設けられている。特にグリップの利用者が接触する面を適宜温度調整することができ、特にハンドル、ドアハンドル、階段の手すり、機械の操作グリップ等を温度調整する。前記装置が、温度調整装置、通気装置または空調装置を有していれば、あるいはこれら装置であれば、必要に応じてグリップの温度、湿度または空気組成の調整する。【選択図】図１
2014069800.tif 000002
【特許請求の範囲】
【請求項１】
少なくとも１つの空調パラメータを制御するための装置であって、
前記装置が、特定の領域を制御するためにグリップに設けられていることを特徴とする装置。
【請求項２】
前記装置が、温度調整装置（１７）、通気装置または空調装置（１５）を有しているか、またはこれらの装置自体であることを特徴とする、請求項１に記載の装置。
【請求項３】
操舵装置（２）の温度調整または空調のために設けられていることを特徴とする、請求項１または２に記載の装置。
【請求項４】
請求項１〜３のいずれか一項に記載の少なくとも１つの装置を備えたグリップ（５）、乗り物（１）または操舵装置（２）。
【発明の詳細な説明】
【技術分野】
【０００１】
本発明は、請求項１の前段に記載のグリップおよび操舵装置用の温度調整・空調装置を対象とする。温度調整・空調装置は、例えば乗り物のドア、ハンドルまたは操縦桿のグリップの加熱、冷却または通気に使用することができる。
【背景技術】
【０００２】
繊維加熱要素を巻き付けたハンドルは公知である。その欠点は、しわのない取り付けのためのコストが高いことである。また、中空のハンドルも知られている。このようなハンドルの使用許可がないことは、最近の乗り物で使用するうえで支障がある。それゆえ、特に簡単な組み立ておよび高い安定性の点で、技術水準を改良することが望ましい。
【発明の概要】
【発明が解決しようとする課題】
【０００３】
本発明は、従来のグリップ用温度調整・空調装置を改良することである。
【課題を解決するための手段】
【０００４】
上記の技術背景に対し、請求項１の構成を備えた技術コンセプトが提案される。更なる有利な構成は、他の請求項および以下の説明から見て取れる。
【０００５】
本発明は、少なくとも１つの空調パラメータを制御するための装置に関する。これにより、把持用に特定されたゾーンを制御するための装置が設けられていれば、特にグリップの利用者が接触する面を適宜温度調整することができ、特にハンドル、ドアハンドル、階段の手すり、機械の操作グリップ等を温度調整することができる。
【０００６】
前記装置が、温度調整装置、通気装置または空調装置を有していれば、あるいはこれら装置であれば、必要に応じてグリップの温度、湿度または空気組成の調整を達成できる。
【０００７】
操舵装置を温度調整または空調するための装置が設けられていれば、日光の下でのハンドルの過熱または冬期での過冷を回避することができる。
【０００８】
本発明は、さらにグリップ、乗り物または操舵装置にも関する。これらが上記装置を装備していれば、空調的に望ましくない条件においてもその有用性が改善される。
【０００９】
以下に本発明の詳細を説明する。これらの実施形態は本発明を理解するためのものであるが、単に例示的な性格を有するにすぎない。もちろん、独立請求項によって定義された本発明の権利範囲内であれば、個々の構成要件または説明する複数の構成要件を削除、変形、補足してもよい。また、複数の異なる実施形態の構成を互いに組み合わせてもよいことはもちろんである。重要なことは、本発明のコンセプトが実質的に置き換えられていることである。１つの構成要件が少なくとも部分的に充足されていることは、この構成要件が完全に充足されていること、または、実質的に完全に充足されていることを含む。「実質的に」とは、置き換えても、見分けることができる程度に所望の利用ができることを意味する。これは、特に、対応する構成要件が少なくとも５０％、９０％、９５％または９９％実現されていることを意味することができる。最少量が記載されていても、もちろんこの最少量より多く使用されてもよい。部品数が少なくとも１つと記載されていれば、これは２つ、３つまたは他の多数の部品をもった実施形態をも含まれる。１つの物体に対して記載されていれば、その主要部分に対しても、または他の全ての同種の物体の全体に対しても適用することができる。間隔は、何も記載されていなければ、その境界点をも含んでいる。
【図面の簡単な説明】
【００１０】
【図１】温度調整および空調が行われる操舵装置を備えた乗り物１の部分縦断面図である。
【図２】図１の操舵装置の部分平面図（木製シェル３６）および部分概観図（残りの部分）である。
【図３】（ａ）は図１の操舵装置の側部をやや下方から見た展開斜視図であり、（ｂ）は（ａ）の操舵装置に組み込んだ、担持体と加熱導体とを備えたシェル状加熱要素の図であり、（ｃ）は中間に（ｂ）の加熱要素を備えている２つの硬い半シェルのモジュールとしての（ａ）の操舵装置の上部外被シェルを示す図である。
【図４】（ａ）は供給装置の下部外被シェルと接続部位との詳細斜視図であり、（ｂ）は図３（ａ）の操舵装置用の供給装置と戻し装置との簡略図である（見やすくするために、図２の操舵装置の個々の結合管は図示していない）。
【図５Ａ】（ａ）は図２の操舵装置のグリップの、横断面が一方向に流動を受ける領域Ａ−Ａでの横断面図、（ｂ）は当該領域Ａ−Ａでの操舵装置のグリップの縦断面図である。
【図５Ｂ】（ａ）は図２の操舵装置のグリップの、横断面が互いに反対の二方向にねじ線状の流動を受ける領域Ｂ−Ｂでの横断面図、（ｂ）は中実グリップ部分３６で流動が転向する当該領域Ｂ−Ｂでの操舵装置のグリップの縦断面図である。
【図５Ｃ】（ａ）は図２の操舵装置のグリップの、横断面が互いに反対の二方向に中空筒状の流動を受ける領域Ｃ−Ｃでの横断面図、（ｂ）は空気流がグリップ軸線に対し２つの異なる高さで互いに反対の二方向に流れて中実グリップ部分３６で転向する当該領域Ｃ−Ｃでの操舵装置のグリップの縦断面図である。
【発明を実施するための形態】
【００１１】
本発明は、特に図１の乗り物１に関する。乗り物とは、陸上車両、水上車両、軌道車両、航空車両のような人および／または物品を搬送する装置であり、特に飛行機、船、自動車である。
【００１２】
本発明は、さらに、例えば図２の自動車のハンドル、飛行機の操縦桿、またはオートバイのハンドルバーのような操舵装置２にも関わる。
【００１３】
好ましくは、少なくとも１つの操舵装置は回動中心３を有している。回動中心とは参照点または参照軸線であり、そのまわりに操舵装置が運動して操舵信号を発生させる。例えばオートバイ操舵湾曲柄のためのいわゆるハンドルステムまたはハンドルにおけるハンドルポット、多次元作動する操縦桿におけるピボット点または非回転作動する操舵システムにおけるスライドコントローラのようなその他の参照部位である。
【００１４】
好ましくは、少なくとも１つの操舵装置は少なくとも１つのスポーク４を有している。スポークとは、グリップ５を回動中心３と結合させて、機械的な力、特に操舵運動を伝えるための部分である。例えばハンドルのスポーク、オートバイハンドルの操舵湾曲柄のスポーク、または、操縦桿の中央部材である。スポークは、１つまたは複数のグリップを安定に懸架するために十分な数だけ設けられており、例えば操縦桿用スポーク、ハンドルバー用の２つのスポーク、ハンドル用の２つまたはそれ以上のスポークが設けられている。
【００１５】
好ましくは、少なくとも１つの操舵装置は少なくとも１つのグリップ５を有している。グリップとは、ドアを把持して調整力を導入するための部分、特に操舵装置を手動で調整するための装置であり、または、オートバイを操作するための部分である。例えばオートバイのハンドルグリップまたはハンドルのハンドルリムである。このために適しているのは特に、例えば木、プラスチックまたは金属からなる握り、棒、またはリング状または円弧状のサーキュラープロファイルである。
【００１６】
好ましくは、少なくとも１つのグリップは、操舵装置の十分な安定と剛性とを得るために少なくとも１つのグリップ骨格６を有している。グリップ骨格とは、操舵装置に作用する機械的負荷を吸収し転送するための支持構造物であり、たとえばハンドルコアまたは操縦桿シャフトである。軽量で高い形状剛性を達成するには、内部が少なくとも部分的に中空であるパイプまたはＵ形材が適している。このための安定な材料は、鋼、アルミニウムまたはカーボンファイバー材である。
【００１７】
好ましくは、少なくとも１つのグリップは、図３〜図５Ｃに記載の少なくとも１つの外被７を有している。外被とは、グリップ骨格を被覆している部分であり、グリップ骨格ンが設けられていない場合には、外側骨格としての機能をも兼備する。これは、確実に快適に把持可能な面を形成するとともに、グリップ内の機能要素を外部からの影響（例えば汗）から遮蔽する。逆に、利用者の快適性は、組み込まれた部品によって阻害されない。少ない部品からの簡単な組み立てと、低コストおよび快適な使用感を得るために、円形に閉じた保護外被とに対しては、中空筒体、中空リング、直線状または湾曲したＵ形材が有利である。外被の長さは好ましくはグリップ部材の長さに相当しており、すなわち例えばハンドル全周に相当している。外被の外径は、通常はグリップの外径に相当している。外被の内径によって好ましくはグリップ骨格と外被との間に通気隙間４０が生じており、これにより優れた温度調整機能が得られる。グリップ骨格と外被との間の隙間は、好ましくは少なくとも２ｍｍ、より好ましくは５ｍｍである。
【００１８】
好ましくは、少なくとも１つの外被は少なくとも１つの担持シェル８を有している。担持シェルとは、例えば２つの軸線のまわりに湾曲したＵ形材によって外被を担持し補強するための装置である。担持シェルの数量は、十分な形状剛性または互いに補強しあう形状剛性を保証する。例えば、図３（ｃ）によれば、荷重を吸収する第１の外側シェル８ａが考えられ、これは、その中に配置されて発熱導体を担持する加熱担持体の第２のシェル８ｂと、空気を案内する通路用の第３の自立性シェル８ｃと、を備える。担持シェルの内部にある精密部品を保護するとともに、利用者を硬い表面から保護するため、例えば外被の外面の中央またはその内面に担持シェルが位置決めされる。担持シェルの外面に、パッドまたは上張りが施されていると好ましい。簡単な組み立てと安全な使用のための材料としては、射出成形に適しているポリマー、繊維補強した複合材、硬質フォームまたは軟質フォーム等が、担持シェル８に適している。
【００１９】
好ましくは、少なくとも１つの外被は少なくとも１つの付随層９を有している。付随層とは、担持シェルに配置される付加機能を持った層である。例えば、グリップ面での熱分布を改善するための、繊維またはフォイルの平らな加熱要素またはその上にあるアルミニウム層である。この場合、付随層自ら担持シェル８ｂを形成することができる。好ましくは、組み立てを容易にするため、外被のすべての付随層を１つまたは複数の担持層と統合させてシェル状モジュールを形成させる。これにより、担持シェルの内部または外部で、外被の複数の機能を組み合わせることが可能になり、しかもこれらの機能が相互に阻害し合うことはない。
【００２０】
好ましくは、少なくとも１つの外被は、非剛性の部品を用いずに簡単な組み立てを行うために、少なくとも１つの部分シェル１０を有している。部分シェルとは、グリップの一部分の型枠づくりのために特定された部品またはアッセンブリである。好ましくは、部分シェルは自立性の部品であり、すなわち剛性の部品である。これに適しているのは、例えば、グリップ骨格を受容して部分的に取り囲むために特定された、Ｕ字形材から成る単層または複層の上部および下部の半シェルである。１つのグリップにつき２つまたはそれ以上の数であれば組み立てが容易となる。
【００２１】
好ましくは、少なくとも１つのグリップはクッション４２を有し、例えば発泡ポリウレタンから成る複数の層を有している。
【００２２】
好ましくは、少なくとも１つのグリップは、グリップの装飾およびその機械的保護のために少なくとも１つのカバー４３を有している。カバーとは、グリップの表面に少なくとも部分的に配置される、および／または、グリップを少なくとも部分的に覆う、単層または複層の面形成物である。
【００２３】
本発明は、さらに空調装置１５にも関する。空調装置とは、例えば温度調整、通気、加湿または除湿および／または空調のために、被空調領域を少なくとも１つの空調パラメータに関して制御するのに適した物体である。
【００２４】
好ましくは、少なくとも１つの空調装置１５は、少なくとも１つの温度調整装置１７を有している。温度調整装置とは、利用者または被加熱物体の温度を目的に応じて調整するために、特に温度の上げ下げまたは維持のために用いられる装置であり、例えば加熱装置、冷却装置または通気装置として用いられるものである。
【００２５】
本発明は、さらに、好ましくは温度調整装置またはその構成要素を形成する加熱装置１６にも関する。加熱装置とは、その周囲を目的に応じて加熱するために、熱エネルギーを与えて、誘導的、対流的および／または熱放射によりその周囲に放出させる装置である。例えば、少なくとも１つの電気加熱抵抗器、熱ポンプ、ラジエーターまたは加熱コイルを備えた機構であり、タイプの異なるこれら構成要素のいくつかが設けられていてよい。グリップ面を加熱するための外被の中に平面加熱要素１６ｂが設けられ、さらに空気を加熱するために空気流の中にペルチエ要素１６ａまたはＰＴＣ加熱素子が設けられていると好ましい。
【００２６】
好ましくは、少なくとも１つの加熱装置１６は、グリップを直接または間接に加熱するための少なくとも１つの加熱抵抗器１８を有している。加熱抵抗器とはオーム抵抗器、または、通電時に電気エネルギーを熱エネルギーに変換するその他の電気部品である。例えば、カーボンファイバーからなると共に互いに並列に配置される多数の加熱ストランド、空気流中に接続されるＰＴＣ加熱素子、導電性プラスチックからなる複数の層、例えばアルミニウムからなる金属フォイル、あるいは図３（ｂ）に示したような、広い面積にわたって配置される金属コードからなる個々の加熱ストランドである。温度調整される表面へ可能な限り良好に直接熱伝送する上で好ましいのは、例えばカバー、外被または担持シェルの上方、内部または下部の位置である。好ましくは、外部から見えないようにするために、加熱抵抗器は少なくとも部分的に担持シェルに埋設され、特に好ましくは担持材のプラスチックを排除して埋設されている。
【００２７】
好ましくは、少なくとも１つの温度調整装置は、過剰な熱エネルギーを、特に太陽光線による過剰な熱エネルギーを排出するために少なくとも１つの冷却装置１９を有している。冷却装置とは、冷却すべき面または冷却すべき物体の温度を低下させるための装置であり、ペルチエ素子、伝熱管、またはベンチレータのような通気装置である。簡単な組み立てと少ない構成スペースを可能にするために、温度調整されるゾーンから間隔をもった位置が好ましく、例えば流動方向においてベンチレータのすぐ後方、特に操舵装置の回動ポール付近またはその内部が好ましい。好ましくは、ベンチレータと冷却装置とをモジュール式で組み合わせるためにペルチエ素子を組み込んだファンである。
【００２８】
好ましくは、少なくとも１つの空調装置は少なくとも１つの通気装置２０を有している。通気装置とは、特定の平面領域または空間領域で空気成分または空気流動を目的に応じて変化させるために利用することのできる装置である。
【００２９】
好ましくは、少なくとも１つの通気装置は少なくとも１つの空気搬送装置２１を有している。空気搬送装置とは空気を搬送するための装置である。たとえばベンチレータ、特に図３（ａ）および図４（ｂ）に示したようなラジアルベンチレータ、または搭載空調装置である。
【００３０】
好ましくは、少なくとも１つの通気・空調装置は少なくとも１つの空気案内装置２２を有している。空気案内装置とは、空調すべきゾーンと空気搬送装置との間で、または通気すべきゾーンに沿って、少なくとも一方向に空気を案内することのできる装置である。
【００３１】
好ましくは、少なくとも１つの空気案内装置および特に後述するグリップ分配装置は、少なくとも１つの間隔保持装置２３を有している。間隔保持装置とは、空気案内装置またはその部品を、外部から機械的負荷が作用しても空気流のために少なくとも部分的に開口を維持する装置である。これに適しているのは、誘導壁または外被のノブ状またはウェブ状プロファイル部である。
【００３２】
好ましくは、少なくとも１つの空気案内装置は、少なくとも１つの供給装置２４を有している。供給装置とは、空気搬送装置からグリップ分配装置へ、例えば長方形または円形の中空プロファイル部または長手側で開口しているＵプロファイル部（その開口側はたとえばスポークによって閉鎖されている）によって、新しい空気または温度調整した空気を供給する装置である。その数は、グリップの各位置に均等な供給が可能であるように選定されている。例えば少なくとも１つ、好ましくは２つ以上が、好ましくは互いに左右対称または回転対称になるように操舵装置に装着される。その幅は視覚的な隠蔽を可能にし、たとえばスポークの幅に略相当している。その高さは、例えば把持付近部分５１にある導線を面取りすることで、グリップ性を保つ。これは拡幅によって補償されていてよい。供給装置２４は横断面において例えば長方形または楕円形である。供給装置の面は、グリップ分配装置２６の、該供給装置の作用を受ける横断面に対応しているのが有利である。ハンドルの操作性に支障のないように、供給装置の位置は、例えば１つのスポークの下方および少なくとも実質的に該スポークに沿って、またはハンドル面の下方とされる。材料として有利なのは、例えば射出成形可能なプラスチック、金属、または木からなる破砕不能な頑丈な材料である。
【００３３】
好ましくは、少なくとも１つの空気案内装置は少なくとも１つの戻し装置２５を有している。戻し装置とは、グリップ分配装置から空気搬送装置へ空気を戻す装置であり、特に望ましくない温度の空気をグリップから排出する装置である。その数、寸法、位置および材料に関しては、供給装置と同じものが適用される。供給装置と戻し装置とを効果的に協働させるため、両者が、ａ）グリップに沿って例えば互いに９０゜ずらして配置された接続部を有している、ｂ）通路穴内で互いに統合された往路管および還路管を形成する、または、ｃ）空気を内部で流動逆転させずに外被内の空気穴だけを通じて搬送する、場合には、両装置の一方は省略できる。
【００３４】
好ましくは、少なくとも１つの通気装置は、グリップを通気または背部通気するために少なくとも１つのグリップ分配装置２６を有している。グリップ分配装置とは、例えば１つまたは複数の接続穴または通気穴を互いに連通させる管または隙間によって、グリップの内部で、またはグリップに沿って空気を捕集、分配および／または案内するための装置である。
【００３５】
好ましくは、少なくとも１つのグリップ分配装置は、グリップ内部で、またはグリップに沿って空気を分配するための少なくとも１つの入口管２７を有している。入口管とは、周囲または空気搬送装置から空気をグリップ内へ進入させる装置である。その形状は、例えばねじ線状またはＵ形材状または中空筒状の中空空間を用いたものであり、特にグリップの横断面全周のまわりで空気と熱とをグリップ内で均等に配分させる。その幅は空気案内装置内部での摩擦の少ない空気流動を可能にし、例えば、供給装置の幅に相当するような寸法である。入口管の配向は、例えばグリップまたは適当なグリップ部分に沿って平行に行ない、あるいは、図５Ｂのようにグリップの長手軸線のまわりにねじ線状に巻回して行い、あるいは、図５Ｃのように前記長手軸線を同心に取り囲むように行う。材料を節約するため、その壁は少なくとも部分的にグリップ分配装置、スポーク、または、入口管と出口管との間の分離装置の壁と共通である。操舵装置の安定性を損なわずに見えないように配置するため、少なくとも１つの入口管は少なくとも部分的にグリップの内部に位置決めされ、特に外被の内側且つグリップ骨格の外側に位置決めされている。
【００３６】
好ましくは、少なくとも１つのグリップ分配装置は、空気をグリップから排出させるための少なくとも１つの出口管２８を有している。出口管とは、グリップから周囲または空気搬送装置側へ空気を排出する装置である。形状、幅、配向、材料および配置は、入口管のそれぞれに対応している。出口管を入口管に対し同じ高さに配置した場合には、２つの流動は同じ面で反対方向へ誘導される。給気よりも低いところで排気をずらして案内した場合には、均質な、または効率的な温度調整が得られる。例えば、同じ筒体側面で反対方向のねじ線状の進入流および排出流が得られ（図５Ｂ）、または、出口管の、入口管の下方にある層内で、排気の案内が得られる（図５Ｃ）。
【００３７】
好ましくは、少なくとも１つのグリップ分配装置は少なくとも１つの分離装置２９，２９’を有している。分離装置とは、入口管および出口管の内容物を空間的に分離させるための装置である。分離装置の数は、分離装置がグリップによって２つ以上の空気流を発生させるように選定される。これは、複数の供給点での同時温度調整、均一な空気分布および／または閉じた循環系による迅速な温度調整を適合可能とする。往路および還路において、グリップ骨格の長手軸線に対し互いに異なる面で、少なくとも１つのまたは少なくとも２つのねじ線状の分離装置が、同じ高さで設けられているのが好ましい。分離装置は、例えば、グリップ中心軸線またはスポークに対し一定の間隔で該グリップ中心軸線またはスポークに沿って配向されている。分離装置が、ねじ線状に巻回され、または、（半）管状のシェルとしてグリップ骨格のまわりに配置されていると有利である。形状および材料として、例えば硬いプラスチック射出成形部品または金属薄板からなる細条部またはバンド、あるいはゴムのような弾性密封材からなるひもを用いれば、容易な組み立てと確実な流動分離とが可能となる。分離装置が入口管または出口管の壁の一部分、外被層および／またはグリップシェルであるのが合目的である。
【００３８】
動作時には、空調装置は吸気モード、送風モード、またはこれらを組み合わせた動作モードで動作する。
【００３９】
送風動作時において、通気装置２０の空気搬送装置２１は、操舵装置２のグリップ５へ空気を搬送する。その際、空気はペルチエ要素１６ａを通過し、そこで選択的に加熱または冷却される。次に、空気は複数の供給装置２４を介してグリップ５のグリップ分配装置２６内へ流れる。
【００４０】
最も簡単なケースでは、空気は位置８０と同様に入口管２７を通ってグリップ５の外被７を温度調整し、通気穴６１を通じて空調装置１５、そしてグリップから離れる。吸込み動作では空気はこれとは正反対に流れる。この場合、空気は、ペルチエ要素において望ましくない熱または冷気を排出するために用いられる。しかしペルチエ要素を停止させてもよい。
【００４１】
吸込み動作と送風動作との組み合わせ動作では、空調装置においても同時に発生させることができるような種々の動作モードが存在する。
【００４２】
第１の組み合わせモードでは、例えば位置８１において供給装置２４を介して送風モードが起動されていてよい。ここでは、さらに、過剰空気の流動を、固有の戻し装置２５を介して空気搬送装置２１へ戻してもよい。
【００４３】
第２の組み合わせモードでは、例えば位置８２において、空気搬送装置によってもたらされた空気を、まず入口管２７内で管状流動させて外被７を温度調整し、次に同心に内側にある管状の出口管２８内で外被７から間隔をもって排出空気として排出するか、空気搬送装置２１へ戻すことができる。
【００４４】
第３の組み合わせモードでは、例えば位置８３において、空気流を入口管２７によってねじ線状にグリップ５の一部分に沿って導入し、且つグリップ５の周囲でねじ線状に導入させることができる。もしこのグリップが１つの端部でしか接続できない場合には、第２のねじ線状の管と出口管２８とを介して空気流を再び戻すことができる。これらの管は、２つのゴムストランドをねじ線状にグリップ５に沿って互いにずらして外被７の下に配置したものであり、グリップ分配装置２６の下方に位置する。
【００４５】
位置８４の第４の組み合わせモードにおいて、適当な部分が両端部においてそれぞれ供給装置に接続されているとともに戻し装置にも接続されている場合には、２つの空気流をねじ線状に且つ互いに反対方向に、グリップ５によって誘導することができる。これにより迅速で均質な空調が可能となる。
【００４６】
以上説明したすべての動作態様においては、それぞれ付加的に平面加熱要素１６ｂを動作させるのが望ましい。
【００４７】
本願発明は、以下の特徴を有する。
［１］  少なくとも１つの空調パラメータを制御するための装置であって、
前記装置が、特定の領域を制御するためにグリップに設けられていることを特徴とする装置。
［２］  前記装置が、温度調整装置（１７）、通気装置または空調装置（１５）を有しているか、またはこれらの装置自体であることを特徴とする、［１］に記載の装置。
［３］  操舵装置（２）の温度調整または空調のために設けられていることを特徴とする、［１］または［２］に記載の装置。
［４］［１］〜［３］のいずれかに記載の少なくとも１つの装置を備えたグリップ（５）、乗り物（１）または操舵装置（２）。
【符号の説明】
【００４８】
１  乗り物
２  操舵装置
３  回動ポール
４  スポーク
５  グリップ
６  グリップ骨格
７  外被
８  担持シェル
８ａ  外側シェル
８ｂ  シェル
８ｃ  シェル
９  付随層
１０  部分シェル
１５  空調装置
１６  加熱装置
１６ａ  ペルチエ要素
１６ｂ  平面加熱要素
１７  温度調整装置
１８  加熱抵抗器
１９  冷却装置
２０  通気装置
２１  空気搬送装置
２２  空気案内装置
２３  間隔保持装置
２４  供給装置
２５  戻し装置
２６  グリップ分配装置
２７  入口管
２８  出口管
２９，２９’  分離装置
３６  木製シェル
３６  グリップ部分
４０  隙間
４２  クッション
４３  カバー
５１  グリップ付近部分
６１  通気穴
【図１】
2014069800.tif 000003
【図２】
2014069800.tif 000004
【図３】
2014069800.tif 000005
【図４】
2014069800.tif 000006
【図５Ａ】
2014069800.tif 000007
【図５Ｂ】
2014069800.tif 000008
【図５Ｃ】
2014069800.tif 000009